(57)【要約】【課題】  電気機器がオーディオやビデオの記録／再生装置である場合には再生又は記録の音質や画質に劣化を生じさせない。【解決手段】  電気機器１は、機器に固有の所定の電気回路動作を行う回路動作部２と、回路動作部２へ充電による電力を供給する電源供給部３と、回路動作部２がノイズを受けても所定の電気回路動作に影響を与えない期間を検出する検出部４と、検出部４の検出結果に基づいて電源供給部３の動作を切り換え制御する電源切り換え部５とを備える。また、電気機器１は、使用者からの手動操作を受け付ける操作部８をさらに備える。【選択図】  図１
2006094677.tif 000002
【特許請求の範囲】
【請求項１】
所定の電気回路動作を行う回路動作手段と、
商用電源から供給される電力を被充電媒体に充電する充電手段を有し、充電手段によって充電された被充電媒体から上記回路動作手段に電力を供給する電源供給手段と、
上記回路動作手段がノイズを受けても上記所定の電気回路動作に影響を与えない期間を検出する検出手段と、
上記検出手段の検出結果に基づいて商用電源を上記電源供給手段に接続するか否かを切り換える切り換え手段と
を備えることを特徴とする電気機器。
【請求項２】
上記回路動作手段は、ノイズの影響を受ける第１の回路動作手段と、ノイズの影響を受けない第２の回路動作手段からなり、
上記検出手段は、第１の回路動作手段による電気回路動作に影響を与えない期間を検出する検出手段であることを特徴とする請求項１記載の電気機器。
【請求項３】
商用電源からの交流電源を直流電源に変換する交流直流変換部を含み、
上記切り換え手段は、上記第１の回路動作手段と上記交流直流変換部の間に、それぞれ設けられることを特徴とする請求項２記載の電気機器。
【請求項４】
上記切り換え手段は、交流直流変換部と、交流電源供給部の間に設けられることを特徴とする請求項１記載の電気機器。
【発明の詳細な説明】
【技術分野】
【０００１】
本発明は、商用電源から供給される電力を被充電媒体に充電する充電手段を有する電気機器に関する。
【背景技術】
【０００２】
従来、家庭内などにおいて商用電源に、ビデオやオーディオの記録再生装置、電話器、ファクシミリ、コンピュータ、照明器等、多くの電気機器がつながれ、同時に動作した場合に、例えば電気機器Ａ、と電気機器Ｂが同時に動作したとすると、一方の電気機器Ａが発生したノイズが他方の電気機器Ｂに影響を与えてしまい、他方の電気機器Ｂが誤動作するなどの可能性があった。
【０００３】
またこれらの問題の対策としてフィルタを用いてノイズを除去することが考えられるが、完全には除去できなかった。このため、例えば電気機器がオーディオやビデオの記録／再生装置である場合には再生又は記録の音質や画質に劣化が見られた。また、電気機器が測定装置の場合には、正確な値が測定出来なかった。また、電気機器が通信装置の場合には、送信又は受信にミスが生じたり、通信品質が劣化する等の問題があった。
【０００４】
また商用電源を用いた電力線通信（Power line communication:PLC)などでは、電力線に通信用電波を流すので、商用電源に接続している電気機器の動作によってノイズが混入されると、通信の妨げになってしまう。
【０００５】
もちろん、家庭内等にあるすべての電気機器がバッテリなどの被充電媒体からなる充電電源により電源を供給されればこれらの問題は発生しないことになるが、実際には電気機器中に巨大な被充電媒体及び充電手段を設ける必要があり、現実的ではない。
【０００６】
また、従来、通信装置の分野で、充電台の代わりにスイッチングレギュレータを用いて充電する場合に、スイッチングレギュレータの発生するノイズが送受信に与える悪影響を阻止するために、着信待機中には、交流電源から充電を行い、受信状態に至った時には、充電を停止して、内部電池により動作をさせるようにした技術が開示されている（例えば、特許文献１参照。）。
【０００７】
また、同じく通信装置の分野で、電磁誘導を利用した非接触型の充電器を用いる場合、電磁誘導により発生する強い磁界が通信動作に影響を与えるのを阻止するために、通信動作タイミングを表す信号に応じて充電動作をＯＮ／ＯＦＦ制御する技術が開示されている（例えば、特許文献２参照。）。
【０００８】
また、商用電源からの電力によって充電される二次電池を各々備える複数の電気機器にあって、複数の電気機器による商用電源からの電力の消費を平準化するために、各電気機器の電池の充電を、有線あるいは無線により個別に制御するシステムが開示されている（例えば、特許文献３参照。）。
【０００９】
【特許文献１】特開平０７−８７６７８号公報
【特許文献２】特開平１１−１６８８３７号公報
【特許文献３】特開２００１−２５８１７６号公報
【発明の開示】
【発明が解決しようとする課題】
【００１０】
ところで、上記特許文献１、特許文献２に記載された技術は、いずれも受信状態に至った時から充電を停止し、内部電池によって通話の送受信動作を行うものであり、一旦通話動作に入ってしまうと充電は行われないので、通話が長くなればなるほど内部電池の充電残量は減り、長時間の通話によりやがては充電残量は０になってしまう。
【００１１】
また、上記特許文献３に記載された技術は、電力消費を平準化することを目的としたものであり、また複数の電気機器の他に、各機器の電力消費を制御する全体制御装置を必要とする構成である。
【００１２】
本発明は、上記実情に鑑みてなされたものであり、電気機器がオーディオやビデオの記録／再生装置である場合には再生又は記録の音質や画質に劣化を生じさせず、また、電気機器が測定装置の場合には、正確な値を測定でき、また、電気機器が通信装置の場合には、送信又は受信にミスを生じさせず、通信品質を劣化させないことを目的としている。また、電気機器が例えば再生又は記録中であっても、充電電源を使用し続けることなく、適切に充電を行うことができることを目的とする。
【００１３】
また、本発明は、複数の電気機器のみで、全体の制御装置を不要としながらも、充電のための要求、調停などを行い、充電中の電気機器から、例えば再生／記録中の他の電気機器にノイズが混入しないようにすることを目的とする。
【課題を解決するための手段】
【００１４】
本発明に係る電気機器は、上記課題を解決するために、所定の電気回路動作を行う回路動作手段と、商用電源から供給される電力を被充電媒体に充電する充電手段を有し、充電手段によって充電された被充電媒体から上記回路動作手段に電力を供給する電源供給手段と、上記回路動作手段がノイズを受けても上記所定の電気回路動作に影響を与えない期間を検出する検出手段と、上記検出手段の検出結果に基づいて商用電源を上記電源供給手段に接続するか否かを切り換える切り換え手段とを備える。
【００１５】
上記回路動作手段は、ノイズの影響を受ける第１の回路動作手段と、ノイズの影響を受けない第２の回路動作手段からなり、上記検出手段は、第１の回路動作手段による電気回路動作に影響を与えない期間を検出する検出手段であることが好ましい。
【００１６】
また、商用電源からの交流電源を直流電源に変換する交流直流変換部を含み、上記切り換え手段は、上記第１の回路動作手段と上記交流直流変換部の間に、それぞれ設けられることが好ましい。また、上記切り換え手段は、交流直流変換部と、交流電源供給部の間に設けられてもよい。
【発明の効果】
【００１７】
本発明に係る電気機器は、電気機器がオーディオやビデオの記録／再生装置である場合には再生又は記録の音質や画質に劣化を生じさせず、また、電気機器が測定装置の場合には、正確な値を測定でき、また、電気機器が通信装置の場合には、送信又は受信にミスを生じさせず、通信品質の劣化を防ぐことができる。また、電気機器が例えば再生又は記録中であっても、充電電源を使用し続けることなく、適切に充電を行うことができる。
【発明を実施するための最良の形態】
【００１８】
以下、本発明を実施するためのいくつかの最良の形態を説明する。第１の実施の形態は、商用電源から供給される電力を被充電媒体に充電する充電手段を有する電気機器である。図１に構成を示すように、第１の実施の形態となる電気機器１は、機器に固有の所定の電気回路動作を行う回路動作部２と、回路動作部２へ充電による電力を供給する電源供給部３と、回路動作部２がノイズを受けても所定の電気回路動作に影響を与えない期間を検出する検出部４と、検出部４の検出結果に基づいて電源供給部３の動作を切り換え制御する電源切り換え部５とを備える。また、電気機器１は、使用者からの手動操作を受け付ける操作部８をさらに備える。
【００１９】
回路動作部２は、例えばオーディオ光ディスク再生、テープ又は光ディスクへのビデオ記録、等の所定の電気回路動作を行う。
【００２０】
電源供給部３は、図２に示すように、商用電源から供給される交流電力を直流に変換し、かつ整流してから被充電媒体である、電気二重層コンデンサ６に充電する充電回路７を有し、充電回路７によって充電された電気二重層コンデンサ６から回路動作部２に電力を供給する。
【００２１】
電気二重層コンデンサ６は、分極性電極と電解液の界面に生じる電気二重層に電荷を蓄積するコンデンサである。小型で大きな静電容量が得られると共に過充電や過放電に強く、環境性に優れており、低電圧で優れた充電特性を示す。短時間、例えば２，３秒以内で電気機器に上記所定の動作を行わせるに十分な充電を行うことができる。
【００２２】
図３には電気二重層コンデンサの具体例を示す。電気二重層コンデンサ６は、有底円筒状の金属よりなる外装ケース６１と、この外装ケース６１内に収納される蓄電本体であるコンデンサ本体６２等を備えて構成されている。コンデンサ本体６２は、金属箔もしくは導電性高分子からなる集電体上に活性炭と結着剤と導電剤の混合物を設けた一対の分極性電極を有し、この分極性電極間にセパレータを介在させて巻き回しすることにより構成されている。コンデンサ本体６２には、電解液が含浸され、その状態で外装ケース６１内に収納されている。外装ケース６１の開口部６１ａには、シール部材であるゴム状弾性体からなるガスケット６４が嵌合されている。このガスケット６４には、一対の分極性電極に接続されたリード線６３がそれぞれ貫通し、各リード線６３の先端部が外部に突出されている。
【００２３】
検出部４は、回路動作部２がノイズを受けても所定の電気回路動作に影響を与えない期間を検出する。所定の電気回路動作に影響を与えない期間とは、例えばオーディオ光ディスクを再生する装置にあっては、１曲目と２曲目の間、トラックとトラックの間の無音部分である。また、ディスクを再生装置にセットし、再生ボタンを押してから初めの曲が音を出すまでの間である。これらは、検出部４がＴＯＣを読むことによって時間長さ、いつの時間に発生するか、等を検出することができる。
【００２４】
また、ビデオテープレコーダにあっては、コマーシャルが流れている期間である。よって、検出部４はコマーシャル検出手段として機能してもよい。また、検出部４はデジタル放送を受信するような装置にあっては、ＥＰＧから上記期間を検出してもよい。
【００２５】
電源切り換え部５は、回路動作部２がノイズを受けても上記所定の電気回路動作に影響を与えない期間を検出部４が検出したときには上記商用電源からの電力を電源供給部３の充電回路７に供給させるようにオンする。このため、充電回路７は、上記商用電源の電力を電気二重層コンデンサ６に充電する。
【００２６】
電源切り換え部５は、回路動作部２がノイズを受けても上記所定の電気回路動作に影響を与えない期間を検出部４が検出していないときには上記商用電源からの電力を電源供給部３の充電回路７に供給させないようにオフする。すると、電源供給部３は、電気二重層コンデンサ６からの充電電力を回路動作部２に供給する。
【００２７】
このように、電気機器１では、検出部４が回路動作部２にノイズを受けても上記所定の電気回路動作に影響を与えない期間を検出したときには上記商用電源からの電力を電源供給部３の充電回路７に供給させ、検出部４が上記ノイズを受けても上記所定の電気回路動作に影響を与えない期間を検出していないときには電気二重層コンデンサ６から回路動作部２に充電電力を供給させる。
【００２８】
したがって、電気機器の使用上非常に重要なタイミングでは商用電源につながることはなくなり、電源を経由した電源ノイズからの影響を除去できることになる。
【００２９】
以下、電気機器１の具体例として、光ディスク再生装置、ビデオ記録装置を挙げて説明する。
【００３０】
図４は、光ディスク再生装置の具体例を示す図である。図４には、図１に示した電気機器１の回路動作部２の詳細な構成を示している。つまりサーボコントローラ１２、スピンドルモータ１３、光ピックアップユニット１４、ＲＦアンプ１５、復調回路１６、エラー訂正復号化回路１７、バッファメモリ手段１８、サブコードデコーダ１９が回路動作部２に相当し、ディスク１０を再生する回路動作を行う。また、キー操作部１１は図１の操作部８に相当し、制御部２０は検出部４に相当する。
【００３１】
制御部２０は、回路動作部２がノイズを受けても所定の電気回路動作に影響を与えない期間をサブコードデコーダ１９でデコードされた例えばＱデータから検出する。電源切り換え部５は、制御部２０の検出結果に基づいて電源供給部３の動作を切り換え制御する。
【００３２】
以下、光ディスク再生装置の再生動作について説明する。使用者が、キー操作部（リモコンでもよい）１１を操作して、再生モードを選択する。サーボコントローラ１２により各種サーボがコントロールされて、スピンドルモータ１３によりディスク１０が回転され、光ピックアップユニット１４によってディスク１０から記録データが読み出される。読み出されたデータはＲＦアンプ１５を経て復調回路１６に供給されて、ＥＦＭ復調つまり（８−１４）復調された後、エラー訂正復号化回路１７に供給されてエラー訂正および復号化処理が行われる。
【００３３】
エラー訂正処理としては、周知のＣＩＲＣ（Cross Interleave Reed-SolomonCode）によるエラー訂正符号化処理（二重エラー訂正処理）が適用される。なお、実施の形態としては図示しないが、書き込み可能な記録媒体の一種であるＤＶＤディスクなどでは、ＲＳ−ＰＣ（Reed-Solomon Product Code）を使用したエラー訂正および符号化処理が行われる。
【００３４】
エラー訂正および復号化処理されたコンテンツデータは、バッファメモリ手段１８に供給される。バッファメモリ手段１８はＲＡＭなどの半導体メモリを使用することができる。以下バッファメモリと言う。この例ではディスク１０よりのデータ読み出し速度でバッファメモリ１８への書き込み処理が行われる。そして、バッファメモリ１８の後段には再生アンプ系が接続されるので、通常の読み出し速度（データ再生用の転送速度（等速））で読み出されることになる。コンテンツが音楽であれば、音楽を通常速度で再生し、映像であれば等速で映像を再現できる速度である。
【００３５】
復調回路１６で復調された復調出力の一部がさらにサブコードデコーダ１９に供給されてサブコードの復号処理が実行され、そのデコード出力はＣＰＵを搭載した制御部２０に供給されて、ＴＯＣデータが判別される。制御部２０は、検出部として動作し、ＴＯＣデータを判別する他、サーボコントローラ１２等を制御する。
【００３６】
ＴＯＣデータは、ディスク１０の内周側のリードインエリアに記録されている。図５は、ＴＯＣデータとして、例えばＱチャンネルの構成を示す。図５において、フレームの先頭には同期パターンＳ０，Ｓ１（２ビット）が付加され、その後にコントロールビット（４ビット）、アドレスビット（４ビット）が続く。
【００３７】
その後に続く領域がデータ領域であって、ディスク１０に記録された楽章の番号ＴＮＯ、ポイントＰＯＩＮＴに続いて分（ＭＩＮ）、秒（ＳＥＣ）およびフレーム番号（ＦＲＡＭＥ）が、楽章内の経過時間（時間情報）を示すデータとして挿入される。そのあとゼロデータを挿入したのち、ポイントの内容の絶対時間（分、秒およびフレーム番号であって、アドレス情報として機能する）が挿入される。そして最後に、エラー訂正符号であるＣＲＣ符号（１６ビット）が付加されて１フレームが構成されることになる。楽章番号以降は全て８ビット単位で構成される。
【００３８】
制御部２０は、サブコードデコーダ１９が復号したサブコードの例えばＱチャンネルから、楽章内の経過時間情報や、絶対時間を参照し、例えば図６に示すようなトラック１とトラック２間、トラック２とトラック３間の無音のインターバルINT1、INT2を検出する。もちろん、スタートからトラック１の再生が開始するまでのアクセス中のインターバルINT0を検出してもよい。
【００３９】
また、制御部２０は、図示しないミュート回路が起動するタイミングを検出してもよい。この光ディスク再生装置は、曲間で無音の場合やアクセス中などで無音になる場合、無音を検出すると図示しないミュート回路を起動する。よって、ミュート回路が起動するインターバルINTは、音楽再生時間ではなく、ノイズを受けても光ディスクの再生動作に影響を与えない期間である。よって、電源切り換え部５は、制御部２０が上記ミュートのタイミングを検出すると、オンして電源供給部３に商用電源を供給し、電気二重層コンデンサ６を充電させる。
【００４０】
逆に、制御部２０が、上記ノイズを受けても光ディスクの再生動作に影響を与えない期間を検出していない間、つまりトラック１、トラック２、トラック３の音楽再生期間は、商用電源に乗った他の電気機器からのノイズの影響を受けたくないので、これらの期間は、電源供給部３の上記電気二重層コンデンサ６からの充電電力によって動作するように電源切り換え部５がオフする。
【００４１】
このような構成にすることで、光ディスク再生装置は、リピートなどで永遠に再生を繰り返されたとしても、アクセス中に充電を行うことで、音切れもせず、また充電も可能となる。なお、アクセス中だけで不足する場合、アクセス後に充電可能な分だけ充電を行ってから、再生することで、再生中に電源が不足してしまうことは無い。
【００４２】
また無音部が短い際には、無音が伸びても特に問題は大きくないので、多少伸ばすなどの処理を行っても良い。
【００４３】
また音量が規定以上になった場合、人間の耳の特徴から、小さい音がマスキングされてしまうのでそのタイミングで充電を行う。これは直接デジタルデータからの検出などで検出することが出来る。
【００４４】
図７は、光ディスク再生装置の制御部２０が、ミュート検出により充電を行う場合、或いは音量が大きいことを示す音量フラグを検出したときの処理手順を示すフローチャートである。電源切り換え部５がステップＳ１でオンになり商用電源にＡＣ接続する。そして待機状態に入る（ステップＳ２）。
【００４５】
使用者がステップＳ１１にてキー操作部１１を操作し電源ＯＮにする。先ず、ＴＯＣ情報を取得しにいくが、ＴＯＣ情報取得中は音が出ないので、少なくともこの間に一旦電源を商用電源に接続し、充電を行う。また、トレイの開け閉めなどの間も再生のように音楽データが無く、電源からのノイズで音楽信号を汚す心配が無いので、その間を使って充電を行う。
【００４６】
光ディスク再生装置は電源切り換え部５がＯＮ状態であるのでそのまま充電を開始する（ステップＳ１２）。そして、ステップＳ１３にて充電終了としステップＳ３にて電源切り換え部５はＡＣを切断する。その後、ステップＳ１４にてＴＯＣ情報を取得する。そして、ステップＳ１５にて再生を開始する。
【００４７】
制御部１６は、電源供給部３の充電の残量をステップＳ１６にて検出している。ステップＳ１７にてミュート検出回路がＯＮしているのを検出すると、ステップＳ１８にて充電を開始する。ステップＳ１９にてミュートが終了すると、ステップＳ２０にて再生を終了する。そして、ステップＳ２４にて電源をＯＦＦする。
【００４８】
また、ステップＳ２１にて音量フラグを検出すると、ステップＳ２２にて充電を開始する。音量フラグがＯＫとなると（ステップＳ２３）、ステップＳ２４にて電源をＯＦＦする。
【００４９】
このように、光ディスク再生装置では、再生動作のような重要なタイミングでの商用電源への接続がなくなり機器の動作品質の向上が可能となる。また、リピートなどで永遠に再生を繰り返されたとしても、アクセス中に充電を行うことで、音切れもせず、また充電も可能となる。
【００５０】
図８は、テレビジョン放送記録装置の具体例を示す図である。図８には、図１に示した電気機器１の回路動作部２の詳細な構成を示している。つまりチューナ２２、遅延回路３０、変調回路３１、書き込み装置３３、切り換えスイッチ３２、記録媒体３４が回路動作部２に相当する。コマーシャル検出回路２３は、図１の検出部４に相当する。コマーシャル検出回路２３は、留守録にてコマーシャルを検出し、電源切り換え部５と、電源供給部３からなる構成にて、コマーシャル期間に充電を行いながらビデオを記録する。
【００５１】
このテレビジョン放送記録装置にあって、ＲＦ入力端子であるアンテナ２１より入力されたＲＦ信号はチューナ２２により復調され、音声信号ＳA，音声多重信号ＳSA，映像信号ＳVに分離された後、それぞれコマーシャル検出回路２３に入力される。
【００５２】
コマーシャル検出回路２３ではチューナ２２より入力された音声信号ＳA、映像信号ＳV、及び音声多重モード信号ＳSAを用いてコマーシャル検出を行い、コマーシャル判定信号を出力する。
【００５３】
このコマーシャル検出回路４での信号の流れと処理を以下に説明する。チューナ２２より入力された音声信号ＳAはＡ／Ｄ変換回路２４により、所定のサンプリング周波数での離散化、及び所定の量子化レベルでの量子化、つまりＡ／Ｄ変換処理が施される。
【００５４】
Ａ／Ｄ変換器２４でディジタル化された音声データはメインプロセッサ２６内の無音声部検出回路２７に入力する。このメインプロセッサ２６はコンピュータで構成され、無音声部検出回路２７、シーンチェンジ検出回路２８、コマーシャル区間検出回路２９はいずれもソフトウェアで実現している。
【００５５】
無音声部検出回路２７では毎フレームの平均音声レベルを計算により求め、その平均レベルが所定のしきい値より小さいか否かで無音声区間を検出している。
【００５６】
一方、チューナ２２から出力される映像信号ＳVは、コマーシャル検出回路２３に入力され、遅延回路２５、遅延回路３０及びシーンチェンジ検出回路２８に入力される。
【００５７】
遅延回路２５は例えば１フレームという所定のフレーム数のフレームメモリで構成される。この遅延回路２５からは所定のフレーム数に対応する時間だけ遅延された映像信号がシーンチェンジ検出回路２８に入力される。
【００５８】
シーンチェンジ検出回路２８では無音声部検出回路２７からの出力と遅延された映像信号と、チューナ２２から遅延なしに直接供給されたスルーの映像信号とを入力とし、無音声区間でのシーンチェンジ検出を行う。
【００５９】
シーンチェンジ検出回路２８の出力とチューナ２２からの音声多重モード信号ＳSAは、コマーシャル区間検出回路２９に入力される。コマーシャル区間検出回路２９はシーンチェンジ検出回路２８からの出力とチューナ２２からの音声多重モード信号を所定の時間分だけ記憶しておくメモリ領域を持っている。一般的にテレビジョン放送におけるコマーシャルは最長でも１分以内であることが多く、１分のメモリつまり、１２０（秒）×３０
（フレーム）×２（データ）×１（ビット）の容量を持つＲＡＭを用意している。
【００６０】
そして、このＲＡＭ内では、シーンチェンジ検出回路２８からの出力がコマーシャルの始点・終点の候補点であるならば、Scene_Change［Frame］に“１”を、候補点でないならば“０”を記憶しておく。
【００６１】
同様に、チューナ２２からの音声多重モード信号がステレオならばAudio_Multi［Frame］に“１”を、ステレオ以外つまりモノラル及びバイリンガルであった場合は“０”を書き込む。ＲＡＭ内のScene_Change［Frame］は現在のフレームから１分前のフレームまでの領域を持っている。
【００６２】
コマーシャル区間検出回路２９は１分前のフレームをコマーシャル区間と判定した場合には“１”を出力し、コマーシャル区間でないと判別した場合には“０”を出力する。
【００６３】
一方、チューナ２２より出力される音声信号ＳA、及び映像信号ＳBはそれぞれ遅延回路３０にも入力されている。音声及び映像を変調後、記録媒体に記録する際、コマーシャル区間検出回路２９より出力されるコマーシャル検出信号と同期している必要があるため、この遅延回路３０で同期をとる。ここでは、コマーシャル検出のために、コマーシャル区間検出区間で１分間のバッファ（メモリ）を持っているため、１分間の遅延処理を遅延回路３０で施す必要がある。これはメモリで実現することも可能であるが、このテレビジョン放送記録装置では容量の関係によりハードディスクドライブ゛を用いて実現している。
【００６４】
この遅延回路３０の出力は変調回路３１に入力される。ここでは、音声及び映像信号を記録媒体に書き込むための信号形態に例えばＥＦＭ変調といった変調をかける。ＭＰＥＧやＪＰＥＧといったデータ圧縮の処理などもここに含まれる。
【００６５】
変調回路３１の出力は書き込み許可スイッチ３２の状態により、書き込み許可ならば書き込み装置３３に供給され、記録媒体３４に記録される。書き込み許可スイッチ３２はコマーシャル区間検出回路２９からのコマーシャル検出信号が“１”であったときに閉じられ、変調された音声及び映像信号が書き込み装置３３に伝えられる。
【００６６】
書き込み装置３３は書き込み許可スイッチ３２を経て入力された変調後の音声及び映像信号を電気的、又は磁気的、又は光学的、又は物理的、又は以上の組み合わせにより記録媒体３４に記録する機能を持つ。
【００６７】
記録媒体３４は例えば書き込み可能な光ディスク、光磁気ディスク、ハードディスクなどのデータを記録・蓄積することができる媒体である。
【００６８】
このようにテレビジョン放送記録装置は、正確なコマーシャル検出を行うコマーシャル検出回路２３を備えるため、コマーシャルを除去した本編番組のみを記録媒体３４に記録することができる。
【００６９】
このようにテレビジョン放送記録装置は、コマーシャル検出回路２３によって正確に、コマーシャル区間を検出する。コマーシャル区間は回路動作部がノイズを受けても所定の電気回路動作に影響を与えない期間である。
【００７０】
このテレビジョン放送記録装置にあって、電源切り換え部５は、コマーシャル検出部２３が上記コマーシャル区間を検出すると、オンして電源供給部３に商用電源を供給し、電気二重層コンデンサ６を充電させる。
【００７１】
逆に、コマーシャル検出部２３が、上記ノイズを受けてもテレビジョン放送の記録動作に影響を与えない期間を検出していない間、商用電源に乗った他の電気機器からのノイズの影響を受けたくないので、これらの期間は、電源供給部３の上記電気二重層コンデンサ６からの充電電力によって動作するように電源切り換え部５がオフする。
【００７２】
図９は、テレビジョン放送記録装置がコマーシャル区間を検出し、そのコマーシャル区間に充電を行う処理手順を示すフローチャートである。
【００７３】
電源切り換え部５がステップＳ３１でオンになり商用電源にＡＣ接続する。そして待機状態に入る（ステップＳ３２）。
【００７４】
使用者がセットした予約録画時間よりも早く、ステップＳ４１にて電源を予めＯＮし、ステップＳ４２にて充電を開始する。ステップＳ４３にて充電を終了する。これに伴い電源切り換え部５はステップＳ３３にてＡＣを切断する。
【００７５】
次に、ステップＳ４４にてコマーシャルがある放送であるか否かをチェックする。コマーシャルのある放送であれば、ステップＳ４５にて予約録画時間にしたがって録画を開始する。ステップＳ４６にて上記コマーシャル検出部２３によりコマーシャル区間を検出すると、ステップＳ３４にて電源切り換え部５がＯＮとなりＡＣ接続し、ステップＳ４７にて充電を開始する。そして、ステップＳ４８にて充電を終了すると、電源切り換え部５はステップＳ３５にてＡＣを切断する。
【００７６】
ステップＳ４４にてＣＭが無い放送であると判断すると、ステップＳ４９に進み、録画を開始する。もし、ステップＳ５０にて番組が変わったと判断すると、ステップＳ５１にて充電を開始し、ステップＳ５２にて充電を終了する。以上の処理を録画終了（ステップＳ５３）まで繰り返す。
【００７７】
このようにテレビジョン放送記録装置は、予約された時間よりも前に電源を予め入れ、少なくとも予約の期間持つように充電を行う。ただし連続して何本かの番組をとる場合、電源の余裕度から内部に保持する充電部のみでは、供給し切れない可能性がある。その場合を考えて、コマーシャルなどの自動検出などの機能を合わせて番組録画中に画質を気にしないコマーシャルの部分や、番組のオープニングなどを用いて充電を行う。また、ＥＰＧ（電子番組情報）のデータから番組の切れ目などを検出して、充電を行うようにしてもよい。
【００７８】
次に、第２の実施の形態について説明する。第２の実施の形態も、商用電源から供給される電力を被充電媒体に充電する充電手段を有する電気機器であるが、回路動作手段として、ノイズの影響を受ける第１の回路動作手段と、ノイズの影響を受けない第２の回路動作手段とを備え、検出手段は、第１の回路動作手段による電気回路動作に影響を与えない期間を検出する。特に、この第２の実施の形態の電気機器は、商用電源からの交流電源を直流電源に変換する交流直流変換部を含み、切り換え手段は、第１の回路動作手段と交流直流変換部の間に、それぞれ設けられる。
【００７９】
図１０は、第２の実施の形態の電気機器７０の構成を示す図である。ノイズの影響を受ける第１の回路動作手段に相当する回路動作部７４，回路動作部７８及び回路動作部８２を備える。また、ノイズの影響を受けない、つまりノイズが乗っても問題が無い第２の回路動作手段に相当する回路動作部８４及び回路動作部８５を備える。
【００８０】
各回路動作部７４，７８，８２,８４及び８５には、商用電源である交流電源供給部１００からの交流電源を交流直流変換部７１が変換した直流電源が供給されるが、第１の回路動作手段に相当する回路動作部７４，回路動作部７８及び回路動作部８２と、交流直流変換部７１との間には、それぞれ電源切り換え部７２，電源切り換え部７６及び電源切り換え部８０が設けられる。
【００８１】
また、電源切り換え部７２、電源切り換え部７６及び電源切り換え部８０と回路動作部７４，回路動作部７８及び回路動作部８２の間には、後述する電源供給部７３，電源供給部７７及び電源供給部８１が設けられる。
【００８２】
また、回路動作部７４，回路動作部７８及び回路動作部８２による電気回路動作に影響を与えない期間は、検出部７５，検出部７９及び検出部８３によって検出される。検出部７５，検出部７９及び検出部８３は、検出結果に基づいて、電源切り換え部７２，電源切り換え部７６及び電源切り換え部８０の電源切り換え動作を制御する。
【００８３】
ノイズの影響を受けない第２の回路動作手段に相当する回路動作部８４及び回路動作部８５には、交流直流変換部７１から直接、直流電源が供給される。
【００８４】
図１１には回路動作部７４に電源を供給する電源供給部７３の構成を示す。他の電源供給部７７及び電源供給部８１も同様の構成である。電源供給部７３は、交流直流変換部７１が交流電源から変換した直流電源を整流してから被充電媒体である、電気二重層コンデンサ１１２を充電する充電・整流回路１１０と、充電・整流回路１１０と並列に接続される電気二重層コンデンサ１１２と、充電・整流回路１１０と電気二重層コンデンサ１１２との間に設けられる電源供給部内切り換えスイッチ１１１とを備えてなる。
【００８５】
図１１にあって、検出部７５は回路動作部７４による電気回路動作に影響を与えない期間を検出すると、切り換えスイッチ７２及び電源供給部内切り換えスイッチ１１１をオン制御し、充電・整流回路１１０で整流された直流電源で電気二重層コンデンサ１１２を充電させる。また、検出部７５は回路動作部７４による電気回路動作に影響を与えない期間を検出しないときには、切り換えスイッチ７２及び電源供給部内切り換えスイッチ１１１をオフ制御し、電気二重層コンデンサ１１２からの充電電力を回路動作部７４に供給させる。
【００８６】
ノイズの影響を受ける第１の回路動作手段に相当する回路動作部７４，回路動作部７８及び回路動作部８２は、例えば、上述した光ディスク再生装置にあっては、サーボコントローラ１２、光ピックアップユニット１４、ＲＦアンプ１５、復調回路１６、エラー訂正復号化回路１７、バッファメモリ手段１８、サブコードデコーダ１９等に相当する。また、ノイズの影響を受けない、つまりノイズが乗っても問題が無い第２の回路動作手段に相当する回路動作部８４及び回路動作部８５は、例えば、時計部、タイマー部、ＬＣＤ表示部のように、直接、その電気機器の目的とする電気回路動作とは異なる補助的な動作を行う。
【００８７】
以上に説明した電気機器７０によれば、例えば回路動作部８２にてノイズが発生した場合でも、検出部７５及び検出部７９が、回路動作部７４及び回路動作部７８による電気回路動作に影響を与えない期間を検出しないときには、切り換え部７２、７６及び電源供給部内切り換えスイッチ１１１をオフ制御し、電気二重層コンデンサ１１２、１１２からの充電電力を回路動作部７４及び回路動作部７８に供給させているので、ノイズを除去できる。もちろん、ノイズの影響も防ぐことができる。
【００８８】
図１０にあって、電気機器（Ｂ）９０も電気機器（Ａ）７０と同様の構成である。よって、電気機器（Ａ）から交流電源側にノイズが発生しても、各検出部が上記第１の回路動作手段に相当する各回路動作部の回路動作に影響を与えない期間を検出しないときには、各切り換え部及び電源供給部内切り換えスイッチをオフ制御し、各電気二重層コンデンサからの充電電力を各回路動作部に供給させているので、ノイズを除去できる。もちろん、ノイズの影響も防ぐことができる。
【００８９】
また、電気機器７０では、回路動作部７４、７８及び８２と、交流直流変換部７１との間に、それぞれ電源供給部７３、７７及び８１を設け、電気二重層コンデンサ１１２をそれぞれ内蔵させているので、電気機器７０全体に充電電力を供給するような大容量の電気二重層コンデンサを不要とし、合計して上記大容量に相当する少容量の電気二重層コンデンサを複数使用することができる。
【００９０】
次に、第３の実施の形態について説明する。第３の実施の形態も、商用電源から供給される電力を被充電媒体に充電する充電手段を有する電気機器であり、回路動作手段として、ノイズの影響を受ける第１の回路動作手段と、ノイズの影響を受けない第２の回路動作手段とを備え、検出手段は、第１の回路動作手段による電気回路動作に影響を与えない期間を検出する。特に、この第３の実施の形態の電気機器は、商用電源からの交流電源を直流電源に変換する交流直流変換部を含み、切り換え手段は、交流直流変換部と交流電源供給部の間に一つだけ設けられる。
【００９１】
図１２は、第３の実施の形態の電気機器７０の構成を示す図である。ノイズの影響を受ける第１の回路動作手段に相当する回路動作部１２４，回路動作部１２５及び回路動作部１２６を備える。また、ノイズの影響を受けない、つまりノイズが乗っても問題が無い第２の回路動作手段に相当する回路動作部１２８及び回路動作部１２９を備える。
【００９２】
各回路動作部１２４，１２５，１２６,１２８及び１２９には、商用電源である交流電源供給部１００からの交流電源を交流直流変換部１２２が変換した直流電源が供給される。第１の回路動作手段に相当する回路動作部１２４，回路動作部１２５及び回路動作部１２６のうち、回路動作部１２５は、検出部１３０により、電気回路動作に影響を与えない期間が検出される。また、回路動作部１２６は、検出部１２７により、電気回路動作に影響を与えない期間が検出される。検出部１２７による検出結果は、検出部１３０に送られる。
【００９３】
また、交流直流変換部１２２と各回路動作部１２４，１２５，１２６,１２８及び１２９の間には、上記図１１に示した電源供給部７３に相当する電源供給部１２３を備える。ただし、電源供給部１２３は、各回路動作部１２４，１２５，１２６，１２８及び１２９に充電電力を供給できるほどの容量の電気二重層コンデンサを有する。
【００９４】
検出部１３０は回路動作部１２５による電気回路動作に影響を与えない期間を検出すると、電源切り換えスイッチ１２１及び電源供給部内切り換えスイッチ１１１をオン制御する。このため、充電・整流回路１１０は、整流した直流電源を電気二重層コンデンサに充電する。また、検出部１３０は回路動作部１２５による電気回路動作に影響を与えない期間を検出しないときには、切り換えスイッチ１２１及び電源供給部内切り換えスイッチをオフ制御し、電気二重層コンデンサからの充電電力を回路動作部１２５に供給させる。
【００９５】
また、検出部１３０は、検出部１２７を経由して、回路動作部１２６による電気回路動作に影響を与えない期間を検出すると、電源切り換えスイッチ１２１及び電源供給部内切り換えスイッチ１１１をオン制御する。また、検出部１３０は、回路動作部１２６による電気回路動作に影響を与えない期間を検出しないときには、切り換えスイッチ１２１及び電源供給部内切り換えスイッチをオフ制御し、電気二重層コンデンサからの充電電力を回路動作部１２６に供給させる。
【００９６】
ノイズの影響を受ける第１の回路動作手段に相当する回路動作部１２４，回路動作部１２５及び回路動作部１２６は、例えば、上述した光ディスク再生装置にあっては、サーボコントローラ１２、スピンドルモータ１３、光ピックアップユニット１４、ＲＦアンプ１５、復調回路１６、エラー訂正復号化回路１７、バッファメモリ手段１８、サブコードデコーダ１９等に相当する。また、ノイズの影響を受けない、つまりノイズが乗っても問題が無い第２の回路動作手段に相当する回路動作部１２７及び回路動作部１２８は、例えば、時計部、タイマー部、ＬＣＤ表示部のように、直接、その電気機器の目的とする電気回路動作とは異なる補助的な動作を行う。
【００９７】
以上に説明した電気機器１２０によれば、例えば回路動作部１２６にてノイズが発生した場合でも、検出部１３０が、回路動作部１２５及び回路動作部１２６による電気回路動作に影響を与えない期間を検出しないときには、電源切り換え部１２１及び電源供給部内切り換えスイッチをオフ制御し、電気二重層コンデンサからの充電電力を回路動作部１２４、回路動作部１２５及び回路動作部１２６に供給させている。このため、回路動作部１２４及び回路動作部１２５は、回路動作部１２６が発生したノイズの影響を受けることがない。つまり、ノイズを除去できる。また、回路動作部１２６も、自身の発生したノイズの影響から、ノイズ発生時以降の動作を守ることができる。また、検出部１３０が回路動作部１２５及び回路動作部１２６による電気回路動作に影響を与えない期間を検出しないときには、回路動作部１２８及び回路動作部１２９も、電気二重層コンデンサからの充電電力を受けることになる。
【００９８】
また、例えば、交流直流変換部１２２でノイズが発生してしまった場合にも、検出部１３０は、回路動作部１２５及び回路動作部１２６による電気回路動作に影響を与えない期間を検出しないときには、電源切り換え部１２１及び電源供給部内切り換えスイッチをオフ制御し、電気二重層コンデンサからの充電電力を回路動作部１２４、回路動作部１２５及び回路動作部１２６に供給させている。
【００９９】
また、電源切り換え部１２１は、交流電源の入力側に設けられているので、他の電気機器（Ｂ）１３０へノイズを送るのを防ぐことができる。図１２にあって、電気機器（Ｂ）１４０も電気機器（Ａ）１２０と同様の構成である。
【０１００】
以上に説明したように、電気機器１２０は、電源切り換え部１２１を、交流直流変換部１２２と交流電源供給部１００との間に設け、また検出部１３０が回路動作部１２５，１２６による電気回路動作に影響を与えない期間を検出しているので、他の機器１４０に対してノイズを送らず、自己のすべての回路をノイズから守ることができる。
【０１０１】
このように、電気機器１２０は、自身のノイズを守りつつ、電気二重層コンデンサを複数使用することなく、つまり、電気二重層コンデンサの容量をトータルで下げ、かつ他の機器にノイズを発生させることを少なくしている。
【０１０２】
次に、本発明の電源共有システムの実施形態について図１３及び図１４を参照して説明する。この実施形態は、商用電源を共有する二つの電気機器４０、５０からなる電源供給システムである。
【０１０３】
電気機器４０及び５０は、それぞれ固有の所定電気回路動作を行う回路動作部４１及び５１と、回路動作部４１及び５１へ充電による電力を供給する電源供給部４２及び５２と、後述の通信手段による通信に基づいて商用電源からの電力を電源供給部４２及び５２の充電手段に供給するか、あるいは被充電媒体から回路動作部４１及び５１に充電電力を供給するかを制御する制御部４３及び５３を備える。
【０１０４】
また、電気機器４０及び５０は、制御部４３及び５３の制御結果に基づいて電源供給部４２及び４３の動作を切り換え制御する電源切り換え部４４及び５４とを備える。また、使用者からの手動操作を受け付ける操作部４５及び５５をさらに備える。
【０１０５】
この電源共有システムは、電気機器４０と電気機器５０との間で、通信を行う通信線８０を有する。よって、電気機器４０及び５０は、それぞれ図示しない通信手段を有する。
【０１０６】
電源供給部４２及び５２は、上記図２に示した電源供給部３と同様の構成である。制御部４３及び５３は、通信手段により、上記商用電源からの電力を充電回路７によって電気二重層コンデンサ６に充電したい旨の要求を他の電気機器に出し、他の電気機器から了解の返答を受けると、充電を実行する。もちろん、他の電気機器は、上記了解の返答を出した後には充電を行わない。
【０１０７】
制御部４３及び５３は、上記通信手段によって上記要求を出した後、他の電気機器の制御手段との間の通信により、相互の充電残量、優先順位を確認してから充電の実行又は不実行を決定する。
【０１０８】
このように、電源共有システムは、電気二重層コンデンサ６を備えた電源供給部４２及５２を有し、そのぞれの充電時間を互いに重ならないように通信を行ってコントロールすることで、同時に商用電源につながらないようにした。
【０１０９】
図１４には電気機器４０（機器Ａ）と電気機器５０（機器Ｂ）とが連係していない場合の、充電タイミングチャートを示す。動作が始まると、機器Ａ及び機器Ｂは通信線８０により通信を開始する。機器Ａもしくは機器Ｂのどちらかが充電を始めようとする際に、相手の機器に対してこれから充電開始を行う旨通信し、許可された場合、相手の機器はその間商用電源からの充電を禁止する。図１４に示すように、これにより同時に商用電源につながることはなくなり、電源を経由した電源ノイズからの影響を除去できることになる。
【０１１０】
通信線８０による通信の方法は光などが電気的結合を伴わないためもっとも望ましい。例えば光ケーブルを用いた方法や、ＬＥＤの照明を通信に用いたものなども考えることが出来るが、もちろん電気的結合を伴ったものでも良い。またこれらの機器がつながれたグループを更に外部から来るノイズから守るために、グループを外部のノイズから遮断する交流安定化電源装置などから同時に供給することで、より安定し高品位な動作が行えるようになる。
【０１１１】
また、この電源共有システムにあって、一方の電気機器４０と他方の電気機器５０が連係して動作するときには、充電の期間を同じにする。
【０１１２】
なお、電源共有システムは、充電要求がかさなったりした場合には、各電気機器が持つ制御部により、充電残量、連係の有無、優先順位等に基づいて充電タイミングを通信に基づいて判断する。
【０１１３】
例えば、機器Ａが充電要求を出したタイミングで、実は機器Ｂもすぐに充電しないといけない状況があり得る。この場合は、機器Ｂが始めに短期間の充電を行ってから、その後、機器Ａが充電を行う。機器Ａと機器Ｂとで調整を行って、時間を分けながら充電する。
【０１１４】
このように、電源供給システムは、複数の電気機器のみで、全体の制御装置を不要としながらも、充電のための要求、調停などを行い、充電中の電気機器から、例えば再生／記録中の他の電気機器にノイズが混入しないようにすることができる。
【０１１５】
また、商用電源に接続されている全ての電気機器を非充電状態とすることで電力線通信をノイズの混入無く実行できる。
【０１１６】
ところで、以上に例として挙げた電気機器は、所定の電気回路動作を行う回路動作部２を商用電源からの電力を直接受けない構成として説明した。しかし、電気機器によっては、例えば、時計部、タイマー部、ＬＣＤ表示部のように、直接、その電気機器の目的とする電気回路動作とは異なる補助的な動作を行う回路が設けられ、これらの回路は上記商用電源に常時接続していることが多い。このような回路を第１回路部とし、上記目的とする電気回路動作を行う回路を第２回路部とする。
【０１１７】
図１５には、回路動作部２として、上記第１回路部２ａと第２回路部２ｂを用いた構成の電気機器１を示す。第１回路部２ａは、常時商用電源に接続し、その電力により、例えば時計部、タイマー部、ＬＣＤ表示部を動作させている。第２回路部２ｂは、検出部４の検出結果に基づいて、第１回路部２ａから切り離され、電源供給部３内の電気二重層コンデンサ６からの充電電力によって動作される。
【０１１８】
なお、本実施の形態では、上記被充電媒体として、電気二重層コンデンサを用いた。共用される充電時間が長いシステムにあっては、リチウム電池などの二次電池でもよい。また、電気二重層コンデンサと、二次電池とを組み合わせた構成のものでもよい。
【図面の簡単な説明】
【０１１９】
【図１】第１の実施の形態の電気機器の構成を示すブロック図である。
【図２】電源供給部の詳細な構成を示すブロック図である。
【図３】電気二重層コンデンサの構成図である。
【図４】ＣＤ再生装置の構成図である。
【図５】ＴＯＣデータの内のＱチャンネルのフォーマット図である。
【図６】ＣＤ再生装置の充電タイミングを示すタイミングチャートである。
【図７】ＣＤ再生装置の処理手順を示すフローチャートである。
【図８】テレビジョン放送記録装置の構成図である。
【図９】テレビジョン放送記録装置の処理手順を示すフローチャートである。
【図１０】第２の実施の形態の電気機器の構成を示すブロック図である。
【図１１】電源供給部の詳細な構成を示すブロック図である。
【図１２】第３の実施の形態の電気機器の構成を示すブロック図である。
【図１３】電源共有システムの構成を示すブロック図である。
【図１４】電源共有システムの充電タイミングチャートである。
【図１５】電気機器の他の構成を示すブロック図である。
【符号の説明】
【０１２０】
１  電気機器、２  回路動作部、３  電源供給部、４  検出部、５  電源切り換え部、６  電気二重層コンデンサ、７  充電回路、８  操作部
【図１】
2006094677.tif 000003
【図２】
2006094677.tif 000004
【図３】
2006094677.tif 000005
【図４】
2006094677.tif 000006
【図５】
2006094677.tif 000007
【図６】
2006094677.tif 000008
【図７】
2006094677.tif 000009
【図８】
2006094677.tif 000010
【図９】
2006094677.tif 000011
【図１０】
2006094677.tif 000012
【図１１】
2006094677.tif 000013
【図１２】
2006094677.tif 000014
【図１３】
2006094677.tif 000015
【図１４】
2006094677.tif 000016
【図１５】
2006094677.tif 000017